(57)【要約】      （修正有）【課題】動画ファイルの撮影者の保有する動画作成アプリケーションや撮影者の技量によらずとも、比較的容易に多数の動画を管理し、動画ファイルの内容を制御、調整し得るシステムの提供。【解決手段】動画ファイルの登録用の二次元バーコードＱ１と、制御用の二次元バーコードＱ２と、再生用の二次元バーコードＱ３と、２次元バーコードのそれぞれを読み込む複数の読み取り端末と、２次元バーコードの読み込みによってアクセス可能なサーバとから構成される。サーバは、登録用バーコードＱ１へのアクセスによって受信した動画ファイルを保存ファイルｆ２として保存すると共に動画ファイルを複製及び変換して再生用ファイルｆ５を作成して保存する。また制御処理として、制御用の二次元バーコードＱ２へのアクセスによる読み取り端末からの制御情報に応じて、保存された複数の保存ファイルｆ２を結合して再生用ファイルｆ５を更新する。【選択図】図１
2011139176.tif 000002
【特許請求の範囲】
【請求項１】
動画ファイルの登録用の二次元バーコードＱ１と、動画ファイルの制御用の二次元バーコードＱ２と、動画ファイルの再生用の二次元バーコードＱ３と、これら２次元バーコードのそれぞれに記録されたウェブアドレスを読み込むことでサーバにアクセス可能な複数の読み取り端末と、読み取り端末からのアクセスによって動画ファイルの登録処理、動画ファイルの制御処理、登録処理又は制御処理後によって作成、保存された再生ファイルの再生処理を行うサーバとから構成され、
読み取り端末は、登録用の二次元バーコードＱ１に記録されたウェブアドレスを通じてサーバに動画ファイルを送信する動画ファイル送信手段と、
制御用の二次元バーコードＱ２に記録されたウェブアドレスを通じてサーバに登録された動画ファイルの制御情報を送受信する送受信手段と、
再生用の二次元バーコードＱ３に記録されたウェブアドレスを通じてサーバに登録された再生ファイルを受信して読み取り端末上で再生する受信再生手段とを具備し、
サーバは、
動画ファイルの登録処理として、登録用バーコードＱ１へのアクセスによって読み取り端末から受信した動画ファイルを保存ファイルｆ２（携帯電話向け動画）として第一保存領域（編集用フォルダーＦＥ）へ保存（一次保存）すると共に、前記動画ファイルを複製及び変換して再生用ファイルｆ５を作成し、第二保存領域（出力フォルダーＦＯ）へ保存（二次保存）する登録手段と、
前記動画ファイルの制御処理として、制御用の二次元バーコードＱ２へのアクセスによる読み取り端末からの制御情報に応じて、前記第一保存領域（編集用フォルダーＦＥ）に保存された複数の保存ファイルｆ２（携帯電話向け動画）を結合して前記再生用ファイルｆ５を更新し、第二保存領域（出力フォルダーＦＯ）へ保存（三次保存）する制御手段と、
前記動画ファイルの再生処理として、再生用の二次元バーコードＱ３へのアクセスによる読み取り端末からの制御情報に応じて、第二保存領域（出力フォルダーＦＯ）に保存（二次保存又は三次保存）された再生用ファイルｆ５を当該アクセスのあった読み取り端末へ送信する送信手段とを具備することを特徴とする二次元バーコードによる動画配信システム。
【請求項２】
サーバの前記登録手段における第一保存領域は、複数個の保存ファイルｆ２を保存可能であり、
読み取り端末の前記送信手段における制御情報は、前記保存された複数個の保存ファイルｆ２中の複数個をそれぞれの再生時間設定と共に指定する指定時間情報を含み、
サーバの前記制御手段は、指定時間情報に従って指定された複数個の保存ファイルｆ２を、指定された再生時間設定に合わせてカットし、結合することで再生用ファイルｆ５を（制御結合後の再生用ファイルｆ５´´として）更新する請求項１記載の二次元バーコードによる動画配信システム。
【請求項３】
サーバの前記登録手段における第一保存領域は、複数個の保存ファイルｆ２を保存可能であり、
サーバの登録手段は、複数個目の動画ファイルを受信したとき、複数個目の保存ファイルｆ２として第一保存領域（編集用フォルダーＦＥ）へ他の保存ファイルｆ２と区別して一次保存すると共に、前記動画ファイルを複製及び変換して、既存の再生用ファイルｆ５と結合して再生用ファイルｆ５を（自動結合後の再生用ファイルｆ５´として）更新するものである請求項１又は２記載の二次元バーコードによる動画配信システム。
【請求項４】
サーバの前記登録手段及び制御手段は、所定の再生時間に合わせてファイルをカットすることで、再生用ファイルｆ５を作成または更新する請求項１、２又は３のいずれか記載の二次元バーコードによる動画配信システム。
【請求項５】
読み取り端末の送受信手段は、
制御用の二次元バーコードＱ２に記録されたウェブアドレスを通じてサーバに文字情報のファイルを登録するものであり、登録された動画ファイルの制御情報と共に文字情報のファイルの制御情報を送受信するものであり、
読み取り端末の受信再生手段は、再生用の二次元バーコードＱ３に記録されたウェブアドレスを通じてサーバに登録された再生ファイルと共に文字情報のファイルの表示情報を受信して読み取り端末上で動画ファイルの再生と共に文字情報を表示するものであり、
サーバの登録手段は、第二保存領域（出力フォルダーＦＯ）へ保存（二時保存）した再生用ファイルｆ５の表示コードを含む再生用のダウンロードページを生成するものであり、
サーバの制御手段は、制御用の二次元バーコードＱ２へのアクセスによる読み取り端末からの制御情報に応じて、前記生成されたダウンロードページの文字情報表示を更新するものであり、
サーバの再生手段は、再生用の二次元バーコードＱ３へのアクセスによる読み取り端末からの制御情報に応じて、再生用ファイルｆ５を前記生成され更新されたダウンロードページの表示コードを当該アクセスのあった読み取り端末へ送信するものである請求項１、２、３又は４のいずれかに記載の二次元バーコードによる動画配信システム。
【発明の詳細な説明】
【技術分野】
【０００１】
本発明は、二次元バーコードによって動画を配信することのできる動画配信システムに関する。
【背景技術】
【０００２】
従来、２次元バーコードシールを介した動画配信システムとして、携帯電話３０にて２次元バーコードシール２０の表面を撮像し、ｗｅｂアドレスとユーザＩＤを得て、得られたｗｅｂアドレスによりアクセスデータ管理部５２に接続してユーザＩＤを送信すると、ユーザデータ管理部５３が携帯電話３０から送信されたユーザ情報をユーザＩＤと関連づけてユーザデータベース５１に保存し、マルチメディアデータ受信部５５が携帯電話３０から送信されたマルチメディアデータを受信し、マルチメディアデータ管理部５７がユーザＩＤと関連づけてユーザデータベース５１に保存するものが開示される（例えば、特許文献１参照）。その後、いずれかの携帯電話３０により２次元バーコードシール２０の表面を撮像すると、マルチメディアデータ配信部５８がユーザＩＤで特定されるマルチメディアデータをユーザデータベース５１から読み出し、携帯電話３０に配信するものであり、この動画配信システムによれば、容易にユーザ登録及び動画のアップ・配信ができる、とされる。
【０００３】
また従来、携帯電話を活用した２次元コードの活用方法として、登録用の２次元コード１０と、これに対応する配布用の２次元コード１４とを有する携帯電話を活用した動画視聴システムであって、登録用の２次元コード１０を携帯電話の２次元コードリーダーで読み取り、ホストサーバにアクセスするステップと、ホストサーバに配布用の２次元コード１４に対応した動画を登録するステップと、配布用の２次元コード１４を携帯電話の２次元コードリーダーで読み取り、動画を視聴するステップとを含むことを特徴とするシステムが開示される（例えば、特許文献２参照）。このシステムによれば、携帯電話の動画視聴機能と、２次元コード読み取り機能とを活用して、新たな演出効果が付加された年賀状や、手紙、名刺等を提供することができる、とされる。
【先行技術文献】
【特許文献】
【０００４】
【特許文献１】特開２００７−１７４２２７号公報
【特許文献２】特開２００６−１５５０２６号公報
【発明の概要】
【発明が解決しようとする課題】
【０００５】
しかしながら上記従来の二次元バーコードによるシステムは、動画ファイルの単純なアップロードとダウンロードしかできず、多数の動画を管理したり動画ファイルの内容を制御、調整したりすることが困難であり、動画の制御や調整を行う際には、動画ファイルの撮影者の保有する動画作成アプリケーションや、当該撮影者の調整の技量によらざるを得なかった。
【０００６】
そこで本発明は、動画ファイルの撮影者の保有する動画作成アプリケーションや、当該撮影者の技量によらずとも、比較的容易に多数の動画を管理したり動画ファイルの内容を制御、調整し得る二次元バーコードによる動画配信システムを提供することを課題とする。
【課題を解決するための手段】
【０００７】
上記課題を解決すべく本発明では下記（１）〜（４）の手段を講じている。
【０００８】
（１）本発明の二次元バーコードによる動画配信システムは、動画ファイルの登録用の二次元バーコードＱ１と、動画ファイルの制御用の二次元バーコードＱ２と、動画ファイルの再生用の二次元バーコードＱ３と、これら２次元バーコードのそれぞれに記録されたウェブアドレスを読み込むことでサーバにアクセス可能な複数の読み取り端末と、読み取り端末からのアクセスによって動画ファイルの登録処理、動画ファイルの制御処理、登録処理又は制御処理後によって作成、保存された再生ファイルの再生処理を行うサーバとから構成され、
読み取り端末は、登録用の二次元バーコードＱ１に記録されたウェブアドレスを通じてサーバに動画ファイルを送信する動画ファイル送信手段と、
制御用の二次元バーコードＱ２に記録されたウェブアドレスを通じてサーバに登録された動画ファイルの制御情報を送受信する送受信手段と、
再生用の二次元バーコードＱ３に記録されたウェブアドレスを通じてサーバに登録された再生ファイルを受信して読み取り端末上で再生する受信再生手段とを具備し、
サーバは、
動画ファイルの登録処理として、登録用バーコードＱ１へのアクセスによって読み取り端末から受信した動画ファイルを保存ファイルｆ２（携帯電話向け動画）として第一保存領域（編集用フォルダーＦＥ）へ保存（一次保存）すると共に、前記動画ファイルを複製及び変換して再生用ファイルｆ５を作成し、第二保存領域（出力フォルダーＦＯ）へ保存（二次保存）する登録手段と、
前記動画ファイルの制御処理として、制御用の二次元バーコードＱ２へのアクセスによる読み取り端末からの制御情報に応じて、前記第一保存領域（編集用フォルダーＦＥ）に保存された複数の保存ファイルｆ２（携帯電話向け動画）を結合して前記再生用ファイルｆ５を更新し、第二保存領域（出力フォルダーＦＯ）へ保存（三次保存）する制御手段と、
前記動画ファイルの再生処理として、再生用の二次元バーコードＱ３へのアクセスによる読み取り端末からの制御情報に応じて、第二保存領域（出力フォルダーＦＯ）に保存（二次保存又は三次保存）された再生用ファイルｆ５を当該アクセスのあった読み取り端末へ送信する送信手段とを具備することを特徴とする。
【０００９】
（２）前記二次元バーコードによる動画配信システムにおいて、
サーバの登録手段における第一保存領域は、複数個の保存ファイルｆ２を保存可能であり、
読み取り端末の送受信手段における制御情報は、前記保存された複数個の保存ファイルｆ２中の複数個をそれぞれの再生時間設定と共に指定する指定時間情報を含み、
サーバの制御手段は、指定時間情報に従って指定された複数個の保存ファイルｆ２を、指定された再生時間設定に合わせてカットし、結合することで再生用ファイルｆ５を（制御結合後の再生用ファイルｆ５´´として）更新するものであることが好ましい。
【００１０】
（３）前記二次元バーコードによる動画配信システムにおいて、サーバの登録手段は、複数個目の動画ファイルを受信したとき、複数個目の保存ファイルｆ２として第一保存領域（編集用フォルダーＦＥ）へ他の保存ファイルｆ２と区別して一次保存すると共に、前記動画ファイルを複製及び変換して、既存の再生用ファイルｆ５と結合して再生用ファイルｆ５を（自動結合後の再生用ファイルｆ５´として）更新するものであることが好ましい。
【００１１】
（４）前記いずれかの二次元バーコードによる動画配信システムにおいて、サーバの登録手段及び制御手段は、所定の再生時間に合わせてファイルをカットすることで、再生用ファイルｆ５を作成または更新することが好ましい。
【００１２】
（５）前記いずれかの二次元バーコードによる動画配信システムにおいて、読み取り端末の送受信手段は、
制御用の二次元バーコードＱ２に記録されたウェブアドレスを通じてサーバに文字情報のファイルを登録するものであり、登録された動画ファイルの制御情報と共に文字情報のファイルの制御情報を送受信するものであり、
読み取り端末の受信再生手段は、再生用の二次元バーコードＱ３に記録されたウェブアドレスを通じてサーバに登録された再生ファイルと共に文字情報のファイルの表示情報を受信して読み取り端末上で動画ファイルの再生と共に文字情報を表示するものであり、
サーバの登録手段は、第二保存領域（出力フォルダーＦＯ）へ保存（二時保存）した再生用ファイルｆ５の表示コードを含む再生用のダウンロードページを生成するものであり、
サーバの制御手段は、制御用の二次元バーコードＱ２へのアクセスによる読み取り端末からの制御情報に応じて、前記生成されたダウンロードページの文字情報表示を更新するものであり、
サーバの再生手段は、再生用の二次元バーコードＱ３へのアクセスによる読み取り端末からの制御情報に応じて、再生用ファイルｆ５を前記生成され更新されたダウンロードページの表示コードを当該アクセスのあった読み取り端末へ送信するものであることが好ましい。
【発明の効果】
【００１３】
本発明の二次元バーコードによる動画配信システムは上記手段を講じることで、動画ファイルの撮影者の保有する動画作成アプリケーションや、当該撮影者の技量によらずとも、比較的容易に多数の動画を管理し、あるいは動画ファイルの内容を制御、調整することが可能となった。
【図面の簡単な説明】
【００１４】
【図１】本発明の二次元バーコードによる動画配信システムの構成説明図。
【図２】二次元バーコードの生成・発行手順例を示すフロー。
【図３】二次元バーコードの発行における読み取り端末への表示画面例。
【図４】動画ファイルの登録手順例を示すフロー。
【図５】保存ファイルの制御手順例を示すフロー。
【図６】保存ファイルの他の制御手順例を示すフロー。
【図７】保存ファイルの制御処理における読み取り端末への編集用表示画面例。
【図８】保存ファイルの制御処理における読み取り端末への編集用表示画面例。
【図９】再生ファイルの送信手順例を示すフロー。
【図１０】再生ファイルの送信処理における読み取り端末への表示画面例。
【発明を実施するための形態】
【００１５】
本発明の二次元バーコードによる動画配信システムは、図１に示すように、動画ファイルの登録用の二次元バーコードＱ１と、動画ファイルの制御用の二次元バーコードＱ２と、動画ファイルの再生用の二次元バーコードＱ３と、これら２次元バーコードのそれぞれに記録されたウェブアドレスを読み込むことでサーバにアクセス可能な複数の読み取り端末と、読み取り端末からのアクセスによって動画ファイルの登録処理、動画ファイルの制御処理、登録処理又は制御処理後によって作成、保存された再生ファイルの再生処理を行うサーバとから構成される。
【００１６】
〔二次元バーコードの発行〕
入力項目の設定に応じて動画ファイルの登録用二次元バーコードＱ１と、動画ファイルの制御用二次元バーコードＱ２と、動画ファイルの再生用二次元バーコードＱ３が生成され、読み取り端末の使用者に対して発行される。二次元バーコードの生成・発行は具体的には、以下に示す各手順によって自動的に行われる（図２）。
【００１７】
動画QRの発行
・動画QR発行フォームを表示
・フォームから次の項目を入力
・  利用者IDまたは発行先の名称
・  発行番号（半角数字：００００００〜９９９９９）
・  ファイル名（任意の半角英数字2文字）
・  QR動画の保存期間（日数：３１日＝1ヶ月）
・  任意の追加文字（１６文字程度）
・フォームの入力情報を動画ＱＲ用の文字列に変換
・  動画登録用メールアドレス
・  再生用URL
・  制御用URL
・二次元バーコードのチェックとホームページの生成
・  すでに利用されている文字列でないか確認
・  二次元バーコードのホームページを表示
・二次元バーコードの有効化とホームページの保存
・  ファイルの作成による二次元バーコードの有効化
・  二次元バーコード、ホームページの発行履歴を記録
・電子メールでの通知
生成された二次元バーコードは、例えば図３に示すように、各二次元バーコードＱ１Ｑ２Ｑ３がウェブページ上にまとめて表示され、読み取り端末の使用者はこのウェブページのウェブアドレスにアクセスすることで各に次元バーコードを取得することができる。なお、このウェブページのウェブアドレスを記録した、動画配信システムの使用開始用二次元バーコードを生成し、広告やカード等の表示媒体に記録したものを読み取り端末の使用者に提供しても良い。
【００１８】
〔読み取り端末〕
読み取り端末は、２次元バーコードのそれぞれに記録されたウェブアドレスを読み込むことでサーバにアクセス可能であり、複数個用意される。
【００１９】
各読み取り端末は、登録用の二次元バーコードＱ１に記録されたウェブアドレスを通じてサーバに動画ファイルを送信する動画ファイル送信手段と、
制御用の二次元バーコードＱ２に記録されたウェブアドレスを通じてサーバに登録された動画ファイルの制御情報を送受信する送受信手段と、
再生用の二次元バーコードＱ３に記録されたウェブアドレスを通じてサーバに登録された再生ファイルを受信して読み取り端末上で再生する受信再生手段とを具備する。
【００２０】
〔サーバ〕
サーバは、読み取り端末からのアクセスによって動画ファイルの登録処理を行う登録手段と、動画ファイルの制御処理を行う制御手段と、登録処理又は制御処理後によって作成、保存された再生ファイルの再生処理を行う再生手段とを具備する。
【００２１】
一又は複数の保存ファイルｆ２を保存する編集用フォルダーＦＥ、出力ファイルｆ５を保存する出力用フォルダーＦＯを有する。またサーバー内にはこれ以外にも、各ファイルの生成経過中に作成される一時ファイル（設定ファイルｆ１、変換後ファイルｆ３、結合ファイルｆ４、出力ファイルｆ６）を保存する保存領域として一時ファイル用フォルダーＦＧを有する。登録手段、制御手段、再生手段の各プログラムの実行によってこれらファイル内の情報が登録、制御、更新、送信される。
（第一保存領域）
サーバの第一保存領域は、複数個の保存ファイルｆ２を保存可能である。登録手段において保存され、制御手段によってアクセスされ取得される。
（登録手段）
登録手段は、図４に示す動画ファイルの登録処理を行うプログラムであり、登録用バーコードＱ１へのアクセスによって読み取り端末から受信した動画ファイルを保存ファイルｆ２（携帯電話向け動画）として第一保存領域（編集用フォルダーＦＥ）へ保存（一次保存）すると共に、前記動画ファイルを複製及び変換して再生用ファイルｆ５を作成し、第二保存領域（出力フォルダーＦＯ）へ保存（二次保存）する。
【００２２】
具体的には以下のステップを順に経ることで動画の登録が行われる。
【００２３】
・携帯電話またはPCから動画を添付したメール（動画メール）が送付される
・メールサーバーが動画メールを受信する。
【００２４】
・ドメインごとにメールを振り分けてウェッブサーバーの特定アドレスに転送する。
【００２５】
・ウェッブサーバーで受信したメールは、動画の分離変換作業に入る。
【００２６】
・  メールアドレスが正規のものか確認する
・  正規のメールアドレスであれば、期限チェックファイルを用いて有効なメールアドレスかチェックする
・  有効なアドレスであれば、タイトル、本文、動画のブロックに分解する
・  動画のブロックから動画データを抽出し、ファイル名をつけて保存する
・  動画ファイルを携帯キャリアごとに定めたファイル形式に変換する
・  保存用のファイルがすでに存在すれば、追記モードでファイルを保存する
・  タイトル、本文は、デザインデータとともにファイル名をつけて保存する
・  動画の再生端末ごとにダウンロードページを生成する
・  制御用ページを生成する
・  再生用・制御用ページを送信するためのCGIを生成し保存する
（制御手段）
制御手段は、図５に示す動画ファイルの制御処理を行うプログラムであり、制御用の二次元バーコードＱ２へのアクセスによる読み取り端末からの制御情報に応じて、前記第一保存領域（編集用フォルダーＦＥ）に保存された複数の保存ファイルｆ２（携帯電話向け動画）を結合して前記再生用ファイルｆ５を更新し、第二保存領域（出力フォルダーＦＯ）へ保存（三次保存）する。
読み取り端末の送受信手段における制御情報には、保存された複数個の保存ファイルｆ２中の複数個をそれぞれの再生時間設定と共に指定する指定時間情報が含まれる。
（送信手段）
送信手段は、図９に示す動画ファイルの再生処理プログラムであり、再生用の二次元バーコードＱ３へのアクセスによる読み取り端末からの制御情報に応じて、第二保存領域（出力フォルダーＦＯ）に保存（二次保存又は三次保存）された再生用ファイルｆ５を当該アクセスのあった読み取り端末へ送信する（図１０，１１）。
【００２７】
具体的には以下のステップを順に経ることで再生ファイルを含むダウンロードページの送信が行われる。
【００２８】
ダウンロードページの送信
・アクセス記録を採る
・制御用モードの場合
・  制御データを受信する
・  制御データが「配信」であれば「配信」を制御データファイルに保存する
・  制御データが「停止」であれば配信「停止」を制御データファイルに保存する
・  制御データが「削除」であれば動画ファイルを削除する
・制御ページ呼び出しの場合、制御ページを送信する
・ページデザインデータを読み込む
・リンク、文字装飾などの簡易タグをHTMLタグに変換する
・制御データファイルを読み込む
・制御データが「停止」の場合、配信停止ページを送信する
・動画ファイルが見つからない場合は、FileNotFoundページを送信する
・携帯キャリアごとのダウンロードページを送信する
サーバの制御手段は、指定時間情報に従って指定された複数個の保存ファイルｆ２を、指定された再生時間設定に合わせてカットし、結合することで再生用ファイルｆ５を（制御結合後の再生用ファイルｆ５´´として）更新するため、再生用ファイルの多量化によるサーバへの負担や通信料の負担が軽減される。
【００２９】
サーバの登録手段は、複数個目の動画ファイルを受信したとき、複数個目の保存ファイルｆ２として第一保存領域（編集用フォルダーＦＥ）へ他の保存ファイルｆ２と区別して一次保存すると共に、前記動画ファイルを複製及び変換して、既存の再生用ファイルｆ５と結合して再生用ファイルｆ５を（自動結合後の再生用ファイルｆ５´として）更新するため、編集用ファイルと再生用ファイルのすみわけが明確に行うことが出来、制御編集も容易である。
【００３０】
サーバの登録手段及び制御手段は、所定の再生時間に合わせてファイルをカットすることで、再生用ファイルｆ５を作成または更新するため、読み取り端末の操作によって、サーバ上での自由な制御が可能である。
【００３１】
時間毎に区切って複数の動画ファイルを結合した出力ファイルを作成し、保存するものであるため、多様な動画編集を行うことが出来る。
【００３２】
保存手段は、決められた時間まで動画ファイルをその登録の順に自動的に繋ぎ合わせて再生用ファイルを自動作成するため、再生時間が一定内に確保され、ファイル空き容量の確保ができる。
【００３３】
なお本発明は上述した実施例に限定されることなく、本発明の趣旨に逸脱しない範囲で適宜手順の変更、構成の変更、一部の手順ないし制御要素の抽出、省略といった変更が可能である。
【図１】
2011139176.tif 000003
【図２】
2011139176.tif 000004
【図３】
2011139176.tif 000005
【図４】
2011139176.tif 000006
【図５】
2011139176.tif 000007
【図６】
2011139176.tif 000008
【図７】
2011139176.tif 000009
【図８】
2011139176.tif 000010
【図９】
2011139176.tif 000011
【図１０】
2011139176.tif 000012
【手続補正書】
【提出日】平成21年12月29日(2009.12.29)
【手続補正３】
【補正対象書類名】特許請求の範囲
【補正対象項目名】全文
【補正方法】変更
【補正の内容】
【特許請求の範囲】
【請求項１】
動画ファイルの登録用の二次元バーコード（Ｑ１）と、動画ファイルの制御用の二次元バーコード（Ｑ２）と、動画ファイルの再生用の二次元バーコード（Ｑ３）と、これら２次元バーコードのそれぞれに記録されたウェブアドレスを読み込むことでサーバにアクセス可能な複数の読み取り端末と、読み取り端末からのアクセスによって動画ファイルの登録処理、動画ファイルの制御処理、登録処理又は制御処理後によって作成、保存された再生ファイルの再生処理を行うサーバとから構成され、
読み取り端末は、登録用の二次元バーコード（Ｑ１）に記録されたウェブアドレスを通じてサーバに動画ファイルを送信する動画ファイル送信手段と、
制御用の二次元バーコード（Ｑ２）に記録されたウェブアドレスを通じてサーバに登録された動画ファイルの制御情報を送受信する送受信手段と、
再生用の二次元バーコード（Ｑ３）に記録されたウェブアドレスを通じてサーバに登録された再生ファイルを受信して読み取り端末上で再生する受信再生手段とを具備し、
サーバは、
動画ファイルの登録処理として、登録用バーコード（Ｑ１）へのアクセスによって読み取り端末から受信した動画ファイルを保存ファイル（ｆ２）として第一保存領域へ保存すると共に、前記動画ファイルを複製及び変換して再生用ファイル（ｆ５）を作成し、第二保存領域へ保存する登録手段と、
前記動画ファイルの制御処理として、制御用の二次元バーコード（Ｑ２）へのアクセスによる読み取り端末からの制御情報に応じて、前記第一保存領域に保存された複数の保存ファイル（ｆ２）を結合して前記再生用ファイル（ｆ５）を更新し、第二保存領域へ保存する制御手段と、
前記動画ファイルの再生処理として、再生用の二次元バーコード（Ｑ３）へのアクセスによる読み取り端末からの制御情報に応じて、第二保存領域に保存された再生用ファイル（ｆ５）を当該アクセスのあった読み取り端末へ送信する送信手段とを具備することを特徴とする二次元バーコードによる動画配信システム。
【請求項２】
サーバの前記登録手段における第一保存領域は、複数個の保存ファイル（ｆ２）を保存可能であり、
読み取り端末の前記送信手段における制御情報は、前記保存された複数個の保存ファイル（ｆ２）中の複数個をそれぞれの再生時間設定と共に指定する指定時間情報を含み、
サーバの前記制御手段は、指定時間情報に従って指定された複数個の保存ファイル（ｆ２）を、指定された再生時間設定に合わせてカットし、結合することで再生用ファイル（ｆ５）を更新する請求項１記載の二次元バーコードによる動画配信システム。
【請求項３】
サーバの前記登録手段における第一保存領域は、複数個の保存ファイル（ｆ２）を保存可能であり、
サーバの登録手段は、複数個目の動画ファイルを受信したとき、複数個目の保存ファイル（ｆ２）として第一保存領域へ他の保存ファイル（ｆ２）と区別して一次保存すると共に、前記動画ファイルを複製及び変換して、既存の再生用ファイル（ｆ５）と結合して再生用ファイル（ｆ５）を更新するものである請求項１又は２記載の二次元バーコードによる動画配信システム。
【請求項４】
サーバの前記登録手段及び制御手段は、所定の再生時間に合わせてファイルをカットすることで、再生用ファイル（ｆ５）を作成または更新する請求項１、２又は３のいずれか記載の二次元バーコードによる動画配信システム。
【請求項５】
読み取り端末の送受信手段は、
制御用の二次元バーコード（Ｑ２）に記録されたウェブアドレスを通じてサーバに文字情報のファイルを登録するものであり、登録された動画ファイルの制御情報と共に文字情報のファイルの制御情報を送受信するものであり、
読み取り端末の受信再生手段は、再生用の二次元バーコード（Ｑ３）に記録されたウェブアドレスを通じてサーバに登録された再生ファイルと共に文字情報のファイルの表示情報を受信して読み取り端末上で動画ファイルの再生と共に文字情報を表示するものであり、
サーバの登録手段は、第二保存領域へ保存した再生用ファイル（ｆ５）の表示コードを含む再生用のダウンロードページを生成するものであり、
サーバの制御手段は、制御用の二次元バーコード（Ｑ２）へのアクセスによる読み取り端末からの制御情報に応じて、前記生成されたダウンロードページの文字情報表示を更新するものであり、
サーバの再生手段は、再生用の二次元バーコード（Ｑ３）へのアクセスによる読み取り端末からの制御情報に応じて、再生用ファイル（ｆ５）を前記生成され更新されたダウンロードページの表示コードを当該アクセスのあった読み取り端末へ送信するものである請求項１、２、３又は４のいずれかに記載の二次元バーコードによる動画配信システム。